(57)【特許請求の範囲】
【請求項１】
用紙が、揺動アームに支持されて上下動するピックアップローラにより、用紙積載部からさばきローラとさばきパッドとの間に送り出されるようになされている給紙装置における重送防止機構であって、前記ピックアップローラを支持する揺動アームに用紙案内ガイドが設けられ、前記用紙案内ガイドが、前記ピックアップローラの下降時に前記さばきパッドのさばき面と所要の角度をなし、かつ前記用紙積載部から送り出される前記用紙を前記さばき面に向かって案内してその先端を前記さばき面に当接させるガイド面を備えており、前記用紙積載部から送り出された複数枚の用紙の先端が、前記ガイド面により前記さばき面に当接させられることにより、最上位の用紙だけが前記さばきローラと前記さばきパッドとの間を通過して搬送され、残りの用紙が前記さばき面との摩擦抵抗により停止させられるようになっている給紙装置における重送防止機構。
【請求項２】
前記ピックアップローラの下降時における前記用紙案内ガイドのガイド面と前記さばきパッドのさばき面とのなす角度が、２５〜６０度である請求項１記載の給紙装置における重送防止機構。
【請求項３】
前記用紙案内ガイドの下方に、前記用紙積載部から送り出される前記用紙を前記用紙案内ガイドのガイド面に向かって案内する下用紙案内ガイドが配置されており、この下用紙案内ガイドの上端が前記さばきパッドの下端よりも上方に位置している請求項１または２記載の給紙装置における重送防止機構。
【請求項４】
前記下用紙案内ガイドのガイド部表面が、摺動性を有する高耐久性材料で形成されている請求項３記載の給紙装置における重送防止機構。
【請求項５】
前記下用紙案内ガイドが、さばき面を備えている請求項３または４記載の給紙装置における重送防止機構。
【発明の詳細な説明】
【０００１】
【発明の属する技術分野】
本発明は、たとえば複写機、ファクシミリ装置、プリンタ等に用いられる給紙装置における重送防止機構に関する。
【０００２】
【従来の技術】
従来、給紙装置における重送防止機構の一例として、図４に示すものが知られている。この重送防止機構は、用紙(P)が、揺動アーム(40)に支持されかつ給紙の度毎に上下動するピックアップローラ(41)によりカセット(42)から送り出され、さばきローラ(43)と、さばきローラ(43)に向かって付勢されているさばきパッド(44)との間を通過させられるようになされている（図４(a)参照）。
【０００３】
【発明が解決しようとする課題】
しかしながら、従来の重送防止機構では、次のような問題がある。すなわち、カセット(42)内の用紙残量によっては、用紙(P)は種々の角度でさばきパッド(44)に入紙させられることになるので、ピックアップローラ(41)により複数枚の用紙(P)がカセット(42)から送り出された場合、最下部の用紙(P)だけが停止させられ、他の用紙(P)が重なり合った状態でさばきローラ(43)の回転力により搬送されることがある（図４(b)および(c)参照）。
【０００４】
本発明の目的は、上記問題を解決し、複数の用紙の重送を確実に防止しうる給紙装置における重送防止機構を提供することにある。
【０００５】
【課題を解決するための手段】
本発明による給紙装置における重送防止機構は、用紙が、揺動アームに支持されて上下動するピックアップローラにより、用紙積載部からさばきローラとさばきパッドとの間に送り出されるようになされている給紙装置における重送防止機構であって、前記ピックアップローラを支持する揺動アームに用紙案内ガイドが設けられ、前記用紙案内ガイドが、前記ピックアップローラの下降時に前記さばきパッドのさばき面と所要の角度をなし、かつ前記用紙積載部から送り出される前記用紙を前記さばき面に向かって案内してその先端を前記さばき面に当接させるガイド面を備えており、前記用紙積載部から送り出された複数枚の用紙の先端が、前記ガイド面により前記さばき面に当接させられることにより、最上位の用紙だけが前記さばきローラと前記さばきパッドとの間を通過して搬送され、残りの用紙が前記さばき面との摩擦抵抗により停止させられるようになっているものである。
【０００６】
本発明の給紙装置における重送防止機構において、前記ピックアップローラの下降時における前記用紙案内ガイドのガイド面と前記さばきパッドのさばき面とのなす角度が、２５〜６０度であることが好ましい。
【０００７】
また、本発明の給紙装置における重送防止機構において、前記用紙案内ガイドの下方に、前記用紙積載部から送り出される前記用紙を前記用紙案内ガイドのガイド面に向かって案内する下用紙案内ガイドが配置されており、この下用紙案内ガイドの上端が前記さばきパッドの下端よりも上方に位置していることがある。
【０００８】
前記下用紙案内ガイドのガイド部表面が、摺動性を有する高耐久性材料、たとえばポリエチレングリコールテレフタレートで形成されていることが好ましい。
さらに、前記下用紙案内ガイドが、さばき面を備えていることがある。
【０００９】
【発明の実施形態】
以下、この発明の実施形態を、図面を参照して説明する。この実施形態は、本発明を複写機に適用したものである。
【００１０】
図１は複写機の全体構成を示し、図２はその要部の構成を示し、図３は重送防止機構の動作を示す。なお、以下の説明において、各図面の左右をそれぞれ左右というものとする。
【００１１】
図１において、画像形成装置は、その下側の大部分を占める装置本体(1)と、最上部に位置する原稿読取部(2)とを備えている。
【００１２】
原稿読取部(2)は上面に透明なガラス等からなる原稿載置台(3)を有し、この原稿載置台(3)の下方にスキャナ光学系(4)が配されている。原稿載置台(3)は開閉自在なカバー(5)で覆われるようになっている。スキャナ光学系(4)は、露光用光源(7)、複数の反射鏡(8)(9)(10)、結像レンズ(11)および光電変換素子としてのＣＣＤ(12)を備えている。
【００１３】
原稿読取部(2)の下方の装置本体(1)の左側部分が下部を除いて大きく取り除かれ、この部分が排紙部(13)となっている。
【００１４】
装置本体(1)には、画像形成部(14)、給紙装置(15)および画像形成装置を制御する制御装置（図示略）等が設けられている。
【００１５】
画像形成部(14)は、感光体ドラム(16)、感光体ドラム(16)を所定の電位に帯電させる帯電器(17)、帯電された感光体ドラム(16)の表面に静電潜像を形成するレーザ光照射装置(18)、感光体ドラム(16)表面の静電潜像をトナーにより可視像に現像する現像装置(19)、感光体ドラム(16)上のトナー像を記録用紙(P)に転写する転写チャージャ(20)、および感光体ドラム(16)表面の残留トナーを除去するクリーニング装置(21)を備えている。
【００１６】
給紙装置(15)は、排紙部(13)の下方において装置本体(1)内に装着されかつ複数の記録用紙(P)を積層状態で収納するカセット(22)（用紙積載部）と、記録用紙(P)をカセット(22)内から送り出すためのピックアップローラ(23)と、カセット(22)の先端部に配された重送防止機構(24)と、カセット(22)の下流側に配置されかつ感光体ドラム(16)上のトナー像と記録用紙(P)との位置合わせを行うレジストローラ(25)と、画像形成部(14)の下流側に配置された１対の定着ローラ(26)と、装置本体(1)の排紙部(13)の右側上方に配置された１対の排紙ローラ(27)とを備えている。ピックアップローラ(23)は、右端部を中心として上下に揺動する揺動アーム(28)の左端部に支持されており、図示しない駆動源により回転駆動される。ピックアップローラ(23)は揺動アーム(28)の揺動により上下動するようになっており、給紙時に下降し、記録用紙(P)の先端が重送防止機構(24)を通過したことが検知された場合に上昇するようになっている。
【００１７】
重送防止機構(24)は、図２に示すように、次のように構成されている。
【００１８】
揺動アーム(28)の右端部にさばきローラ(29)が回転自在に支持され、さばきローラ(29)の下方にさばきパッド(30)が、さばき面(30a)を左斜め上方に向けて配置されている。さばきローラ(29)は、揺動アーム(28)の揺動中心軸線の周囲に回転自在に支持され、図示しない駆動源により回転駆動されるようになっている。さばきパッド(30)は圧縮コイルばね(31)により左斜め上方に付勢されており、さばき面(30a)がさばきローラ(29)の周面に押し付けられるようになっている。揺動アーム(28)の右端部に、用紙案内ガイド(32)が、さばきローラ(29)とさばきパッド(30)との接触部よりも上流側に位置するように設けられている。用紙案内ガイド(32)は、ピックアップローラ(23)の下降時に、さばきパッド(30)のさばき面(30a)と所要の角度をなしかつカセット(22)から送り出される記録用紙(P)を案内するガイド面(32a)を備えている。ガイド面(32a)は、さばきローラ(29)とさばきパッド(30)との接触部よりも上流側に位置している。
【００１９】
ピックアップローラ(23)の下降時におけるさばきパッド(30)のさばき面(30a)と用紙案内ガイド(32)のガイド面(32a)とのなす角度θは、２５〜６０度の範囲内となされている。この範囲は、前記角度θを０〜９０度の範囲内で種々変更して行った実験結果に基づいて求められたものであり、２５度未満では重送を起こすことがあり、６０度を越えると用紙詰まりを起こすことがある。
【００２０】
さばきローラ(29)および用紙案内ガイド(32)の下方に、用紙カセット(22)から送り出される記録用紙(P)を用紙案内ガイド(32)のガイド面(32a)に向かって案内する下用紙案内ガイド(33)が配されている。下用紙案内ガイド(33)の上端部は右斜め上方に屈曲させられており、この屈曲部分がガイド部(34)となっているとともに、その左側面が右斜め上方に傾斜したさばき面(34a)となっている。ガイド部(34)の上端は、さばきパッド(30)の下端よりも上方に位置している。下用紙案内ガイド(33)の少なくともガイド部(34)表面は、摺動性に優れるとともに高耐久性を有する「マイラー」（商品名、デュポン社製）等のポリエチレングリコールテレフタレートフィルムにより覆われている。
【００２１】
このような構成において、記録用紙(P)の給紙時には、揺動アーム(28)が下方に揺動させられ、下降位置に来たピックアップローラ(23)により、カセット(22)内の記録用紙(P)が送り出される。ここで、１枚の記録用紙(P)が送り出された場合は、その記録用紙(P)はさばきローラ(29)とさばきパッド(30)との間を通過して送られる。
【００２２】
ピックアップローラ(23)により複数枚の記録用紙(P)がカセット(22)から送り出された場合は、重送防止機構(24)の働きにより重送が防止される。このときの重送防止機構(24)の動作について、図３を参照して説明する。
【００２３】
ピックアップローラ(23)により送り出された複数枚の記録用紙(P)は、まずその先端が下用紙案内ガイド(33)のさばき面(34a)に当接し、記録用紙(P)に前さばきが施される（図３(a)参照）。ついで、記録用紙(P)はガイド部(34)により用紙案内ガイド(32)のガイド面(32a)に向かって右斜め上方に案内され、さらにガイド面(32a)によりさばきパッド(30)のさばき面(30a)に向かって右斜め下方に案内され、その先端がさばき面(30a)に当接する（図３(b)参照）。そして、最上位の記録用紙(P)だけがさばきローラ(29)の回転力により送られてさばきローラ(29)とさばきパッド(30)との間を通過して搬送され、残りの記録用紙(P)はさばき面(30a)との摩擦抵抗により停止させられる（図３(c)参照）。こうして、記録用紙(P)の重送が防止される。
【００２４】
上述した実施形態においては、本発明が複写機における記録用紙(P)の給紙装置(15)に適用されているが、これに限るものではなく、本発明はプリンタやファクシミリ装置、あるいは複写機、プリンタおよびファクシミリ装置のうちの２以上の複合画像形成装置における記録用紙の給紙装置にも適用できる。また、本発明は、これらの画像形成装置の原稿読取部への原稿用紙の給紙装置や、スキャナの原稿読取部への原稿用紙の給紙装置にも適用可能である。
【００２５】
【発明の効果】
本発明の給紙装置における重送防止機構によれば、ピックアップローラを支持する揺動アームに、さばきローラよりも上流側に位置するように用紙案内ガイドが設けられ、用紙案内ガイドが、ピックアップローラの下降時にさばきパッドのさばき面と所要の角度をなし、かつ用紙積載部から送り出される前記用紙を前記さばき面に向かって案内するガイド面を備えているので、複数枚の用紙が、ピックアップローラによりカセットから送り出された場合にも、全ての用紙の先端が用紙案内ガイドのガイド面に案内されて所要の角度でさばきパッドのさばき面に入紙させられる。したがって、最上位の用紙だけがさばきローラの回転力により搬送され、最上位の用紙を除いた用紙はさばき面との摩擦抵抗により停止させられることになり、複数の用紙の重送を確実に防止することができる。また、用紙案内ガイドがピックアップローラを支持する揺動アームに設けられているので、給紙時におけるピックアップローラによる用紙の送り出しのさいだけに用紙案内ガイドが用紙と接触し、用紙の先端部がさばきローラとさばきパッドとの間を通過した後にはピックアップローラを上昇させるための揺動アームの揺動により用紙案内ガイドも上昇することによって、用紙案内ガイドのガイド面は用紙とは接触しなくなる。したがって、この場合には、用紙搬送の負荷を軽減することができるとともに、ガイド面の摩耗を防止することができる。しかも、用紙詰まりが発生した場合に、揺動アームを上方に揺動させることによって、簡単に解消することができる。
【００２６】
本発明の給紙装置における重送防止機構において、ピックアップローラの下降時における前記用紙案内ガイドのガイド面と前記さばきパッドのさばき面とのなす角度が、２５〜６０度であると、複数の用紙の重送を一層確実に防止することができる。
【００２７】
本発明の給紙装置における重送防止機構において、前記用紙案内ガイドの下方に、前記用紙積載部から送り出される前記用紙を前記用紙案内ガイドのガイド面に向かって案内する下用紙案内ガイドが配置されており、この下用紙案内ガイドの上端が前記さばきパッドの下端よりも上方に位置していると、ピックアップローラにより送り出された用紙は、下用紙案内ガイドにより一端斜め上方に送られてその先端が用紙案内ガイドのガイド面に当接し、さらに斜め下方に向かって送られてさばきパッドのさばき面に当接するので、さばきパッドのさばき面への用紙の入紙角度を確実に所要の角度にすることができ、複数の用紙の重送を一層確実に防止することが可能になる。
【００２８】
本発明の給紙装置における重送防止機構において、下用紙案内ガイドのガイド部表面が、摺動性を有する高耐久性材料で形成されていると、用紙と摺接する下用紙案内ガイドのガイド部の摩耗が防止され、これによりガイド部の摺動性が長期間にわたって維持される。
【００２９】
本発明の給紙装置における重送防止機構において、下用紙案内ガイドがさばき面を備えていると、下用紙案内ガイドによりカセットから送り出された複数枚の用紙が前記さばき面により前さばきが施されるので、複数の用紙の重送を一層確実に防止することができる。
【図面の簡単な説明】
【図１】本発明が適用された複写機の全体構成を示す概略図である。
【図２】本発明の重送防止機構を示す図１の部分拡大図である。
【図３】本発明の重送防止機構の動作を示す図である。
【図４】従来の重送防止機構の動作を示す図３相当の図である。
【符号の説明】
(22)：カセット（用紙積載部）
(23)：ピックアップローラ
(24)：重送防止機構
(28)：揺動アーム
(29)：さばきローラ
(30)：さばきパッド
(30a)：さばき面
(32)：用紙案内ガイド
(32a)：ガイド面
(33)：下用紙案内ガイド
(34)：ガイド部
(34a)：さばき面
(P)：記録用紙
【図１】
0003673915.tif 000002
【図２】
0003673915.tif 000003
【図３】
0003673915.tif 000004
【図４】
0003673915.tif 000005